(57)【特許請求の範囲】
【請求項１】
複数本の柱と、隣り合う柱間に上下に平行離間して複数架設された梁と、これら柱と梁とで囲まれた格子空間とを備えた格子状壁体において、
前記梁は、水平方向に平行離間して配置された一対の梁構成部材によって構成されており、
前記複数の梁のうち、少なくとも一つの梁を構成する一対の梁構成部材間に、前記格子空間または前記梁の側面側に物品を取り付けるための取付部材が設けられていることを特徴とする格子状壁体。 
【請求項２】
請求項１に記載の格子状壁体において、
前記取付部材は、前記一対の梁構成部材間に水平に設けられ、かつ前記梁の長手方向に長尺な取付プレートで構成されていることを特徴とする格子状壁体。
【請求項３】
請求項２に記載の格子状壁体において、
前記取付プレートは前記梁構成部材の上下方向中部より上面側または下面側に配置されていることを特徴とする格子状壁体。 
【請求項４】
請求項２または３に記載の格子状壁体において、
隣り合う柱のそれぞれには、支持部材が対向して取り付けられており、
この支持部材の側面部に前記梁構成部材の端部が固定されており、
前記支持部材の上面部または下面部に前記取付プレートの端部が固定されていることを特徴とする格子状壁体。 
【請求項５】
請求項４に記載の格子状壁体において、
前記取付プレートは、前記梁の長手方向に長尺な水平板部と、この水平板部の両縁部にそれぞれ垂下するようにして形成されて、前記梁構成部材に当接する側板部とを備え、
前記水平板部は前記側板部より前記水平板部の長手方向外側に延出する延出板部を有しており、この延出板部が前記支持部材の上面部または下面部に固定されていることを特徴とする格子状壁体。 
【請求項６】
請求項１〜５のいずれか一項に記載の格子状壁体において、
前記複数本の柱のうちの一部の柱は、平面視において一直線上に配置されており、残りの柱はこの一直線と直交する方向に配置されていることを特徴とする格子状壁体。
【発明の詳細な説明】
【技術分野】
【０００１】
本発明は、住宅等の敷地に設けられて、フェンスや装飾用の壁等のエクステリアを構成する格子状壁体に関する。
【背景技術】
【０００２】
住宅等の建物に設けられたデッキの床部に取り付けられるフェンスの一例として特許文献１に記載のものが知られている。
この特許文献１に記載のフェンスは、複数本の柱と、隣り合う柱間に架設された梁とで構成された格子状壁体として構成されている。前記梁は、梁は平行離間して配置された一対の梁構成部材によって構成されており、梁構成部材間は空間となっている。
【特許文献１】特開２００５−３０１２０号公報
【発明の開示】
【発明が解決しようとする課題】
【０００３】
ところで、上記のようなフェンス等の格子状壁体の格子空間に装飾品等の物品を配置することによって、格子状壁体のエクステリアとしての意匠性を向上させたいという要望がある。この場合、格子空間に配置される物品を、格子状壁体を構成する柱や梁に取り付ける必要があるが、柱や梁の外側から見える部位に、直接的にあるいは金具等を用いて間接的に物品を取り付けると、柱や梁にその都度加工を施す必要があり、手間がかかるとともに、柱や梁自体に加工を施したり金具を取り付けたりするために、格子状壁体として意匠性が低下するおそれがあった。
【０００４】
本発明は上記事情に鑑みてなされたもので、柱や梁自体に加工を施したり金具を取り付けたりすることなく、格子空間に物品を容易に配置できる格子状壁体を提供することを課題としている。
【課題を解決するための手段】
【０００５】
上記課題を解決するために、請求項１に記載の発明は、例えば図１〜図６、図１４、図１５に示すように、複数本の柱１と、隣り合う柱１，１間に上下に平行離間して複数架設された梁２と、これら柱１と梁２とで囲まれた格子空間Ｓとを備えた格子状壁体において、
前記梁２は、水平方向に平行離間して配置された一対の梁構成部材６，６によって構成されており、
前記複数の梁２のうち、少なくとも一つの梁２を構成する一対の梁構成部材６，６間に、前記格子空間Ｓまたは前記梁２の側面側に物品２１，２６，３０，３３，３４を取り付けるための取付部材１７が設けられていることを特徴とする。
【０００６】
ここで、前記取付部材は、一対の梁構成部材６，６間に設けられていればよく、形状や大きさ、さらには梁構成部材６，６間における取付位置（梁構成部材の長手方向における取付位置）等は特に限定されるものではない。取付部材としては、例えば、梁構成部材６，６間に、該梁構成部材６と平行に設けられたプレートやワイヤ、さらに、梁構成部材６，６間に架け渡された棒状や板状の部材であってもよい。
【０００７】
請求項１に記載の発明によれば、一対の梁構成部材６，６間に、格子空間Ｓまたは梁２の側面側に物品２１，２６，３０を取り付けるための取付部材１７が設けられているので、この取付部材１７に直接物品を取り付けたり、また、金具等を介して物品を取り付けることによって、柱１や梁２自体に加工を施したり金具を取り付けたりすることなく、格子空間Ｓや梁２の側面側に物品２１，２６，３０，３３，３４を容易に配置できる。
また、取付部材１７が一対の梁構成部材６，６間に設けられているので、この取付部材１７は梁構成部材６，６によって隠され、外部から目立たなくなる。
さらに、上下に隣り合う格子空間Ｓ，Ｓは、それらの間にある一対の梁構成部材６，６間の隙間によって上下に連通させることができるので、厚さが梁構成部材６，６間の隙間より薄い物品を複数の格子空間Ｓ・・・に亙って配置できる。
なお、物品を複数の格子空間Ｓ・・・に亙って配置する場合、上下に隣り合う格子空間Ｓ，Ｓ間にある梁２の梁構成部材間には取付部材１７を取り付けないようにする。
【０００８】
請求項２に記載の発明は、請求項１に記載の格子状壁体において、
前記取付部材１７は、前記一対の梁構成部材６，６間に水平に設けられ、かつ前記梁２の長手方向に長尺な取付プレート１７で構成されていることを特徴とする。
【０００９】
前記一対の梁構成部材６，６間に配置された取付プレート１７は、柱１と梁構成部材６，６とのうちの少なくともいずれか一方によって支持すればよい。
また、取付プレート１７には、物品を取り付けるための取付部２０を取付プレート１７の長手方向に沿って所定間隔で複数設けるのが望ましい。
前記取付部２０としては、例えば、取付プレート１７に形成された取付穴２０が挙げられるが、これに限ることなく、取付プレート１７に取り付けられたフック等の吊下金具でもよい。
【００１０】
請求項２に記載の発明によれば、取付部材１７が梁２の長手方向に長尺な取付プレート１７で構成されているので、取付プレートの長手方向の所望の位置で、格子空間Ｓや梁２の側面側に物品２１，２６，３０，３３，３４を容易に配置できる。
【００１１】
請求項３に記載の発明は、請求項２に記載の格子状壁体において、
前記取付プレート１７は前記梁構成部材６の上下方向中部より上面側または下面側に配置されていることを特徴とする。
【００１２】
請求項３に記載の発明によれば、格子空間Ｓに上方から物品を吊り下げて配置する場合、梁構成部材６の上下方向中部より下面側に配置されている取付プレート１７から金具等を介して容易に吊り下げることができ、一方、梁２上に物品を取り付けて格子空間Ｓに配置する場合、梁構成部材６の上下方向中部より上面側の取付プレート１７に物品を容易に取り付けることができる。
また、格子空間Ｓに上方から物品を吊り下げて配置する場合に、その物品の下端部を梁構成部材６の上下方向中部より上面側の取付プレート１７に固定することによって、物品を安定的に格子空間Ｓに配置できる。
【００１３】
請求項４に記載の発明は、請求項２または３に記載の格子状壁体において、
隣り合う柱１，１のそれぞれには、支持部材１０，１０が対向して取り付けられており、
この支持部材１０の側面部に前記梁構成部材６の端部が固定されており、
前記支持部材１０の上面部または下面部に前記取付プレート１７の端部が固定されていることを特徴とする。
【００１４】
請求項４に記載の発明によれば、柱１に取り付けられた支持部材１０によって、梁構成部材６の端部と取付プレート１７の端部との双方を支持できるので、梁構成部材６および取付プレート１７のそれぞれを別々に支持する必要がない。
【００１５】
請求項５に記載の発明は、請求項４に記載の格子状壁体において、
前記取付プレート１７は、前記梁２の長手方向に長尺な水平板部１７ａと、この水平板部１７ａの両縁部にそれぞれ垂下するようにして形成されて、前記梁構成部材６，６に当接する側板部１７ｂ，１７ｂとを備え、
前記水平板部１７ａは前記側板部１７ｂより前記水平板部１７ａの長手方向外側に延出する延出板部１７ｃを有しており、この延出板部１７ｃが前記支持部材１０の上面部または下面部に固定されていることを特徴とする。
【００１６】
請求項５に記載の発明によれば、取付プレート１７の側板部１７ｂ，１７ｂを梁構成部材６，６に当接することによって、取付プレート１７の梁２の厚さ方向の位置決め固定を確実に行え、取付プレート１７の延出板部１７ｃを支持部材１０の上面または下面に固定することによって、取付プレート１７の上下方向の位置決め固定を確実に行える。
【００１７】
請求項６に記載の発明は、請求項１〜５のいずれか一項に記載の格子状壁体において、
前記複数本の柱１・・・のうちの一部の柱は、平面視において一直線上に配置されており、残りの柱１，１はこの一直線と直交する方向に配置されていることを特徴とする。
【００１８】
請求項６に記載の発明によれば、格子状壁体を容易に自立させることができるとともに、格子状壁体の設置安定性が高まる。
【発明の効果】
【００１９】
本発明によれば、格子状壁体を構成する梁が、水平方向に平行離間して配置された一対の梁構成部材によって構成されており、該一対の梁構成部材間に、格子空間または梁の側面側に物品を取り付けるための取付部材が設けられているので、この取付部材に直接物品を取り付けたり、また、金具等を介して物品を取り付けることによって、柱や梁自体に加工を施したり金具を取り付けたりすることなく、格子空間や梁の側面側に物品を容易に配置できる。
【発明を実施するための最良の形態】
【００２０】
以下図面を参照して本発明の実施の形態について説明する。
図１は本発明に係る格子状壁体の一例を示すもので、（ａ）は正面図、（ｂ）は平面図、（ｃ）は側面図である。
図１に示すように、格子状壁体は、７本の柱１・・・と、隣り合う柱１，１間に上下に平行離間して架設された上段、中段、下段の３本の梁２・・・とを備えており、前記柱１と梁２とで囲まれた格子空間Ｓを複数備えている。
７本の柱１・・・のうち、５本の柱１・・・は平面視において一直線上に配置されており、残り２本の柱１，１は、一直線上に配置された柱１のうちの両端に位置する柱１，１から前記一直線に対して直交する方向に離間して配置されている。したがって、格子状壁体は平面視において略コ字型に形成されている。
【００２１】
前記柱１は、図２および図３に示すように、四角筒状に形成された外筒３と、この外筒３の内部に、該外筒３と同軸に、かつ外筒３と所定の隙間をあけて設けられた四角筒状に形成された内筒４と、前記外筒３の上端開口に設けられた蓋５とから構成されている。
外筒３はセルロース系微粉粒と樹脂とを含む混合材料を混合・溶融して押出し成形してなるものであり、その内面には押出し成形によって、複数のリブ３ａ・・・が形成されている。
内筒４はアルミニウムや鉄等の金属によって形成されたものであり、その外面には前記複数のリブ３ａ・・・が当接されている。
【００２２】
前記梁２は、図２〜図６に示すように、水平方向に平行離間して配置された一対の梁構成部材６，６によって構成されている。梁構成部材６は四角筒状に形成された外筒７と、この外筒７の内部に、該外筒７と同軸に、かつ、外筒７の内面に接した状態で設けられた四角筒状の補強筒８とで構成されている。
外筒７はセルロース系微粉粒と樹脂とを含む混合材料を混合・溶融して押出し成形してなるものであり、補強筒８はアルミニウムや鉄等の金属によって形成されたものである。
【００２３】
前記梁構成部材６，６の端部と柱１とは以下のようにして接合されている。
すなわち、隣り合う柱１，１の対向する側面には、支持部材１０，１０が対向して取り付けられている。支持部材１０は四角筒状に形成されたものであり、その対向する開口を梁構成部材６，６側（図４および図６において左右方向）に向けて配置されたうえで、一側面が柱１の側面に当接されている。そして、支持部材１０は、その内側からボルト１１，１１を柱１に向けて挿通し、柱１の外筒３と内筒４とを貫通させたうえで、ボルト１１，１１の先端部に内筒４の内側からナット１２，１２を螺合して締め付けることによって、柱１の側面に固定されている。また、支持部材１０はその上面が柱１の上端面より下方に位置するようにして、柱１の側面に固定されている。
【００２４】
一方、梁構成部材６，６の端部の支持部材１０側を向く側面には取付金具１３，１３が取り付けられている。この取付金具１３はコ字型に形成されており、梁構成部材６にビス１３ｃによって固定される第１固定板部１３ａとこの第１固定板部１３ａの両端部に直角に形成されて、支持部材１０に固定される第２固定板部１３ｂ，１３ｂとから構成されている。
第２固定板部１３ｂ，１３ｂは、支持部材１０の開口から挿入されて、該支持部材１０の内面（上下の内面）に当接されている。そして、支持部材１０の上面および下面からビス１４をねじ込んで第２固定板部１３ｂを貫通させ、該第２固定板部１３ｂの裏面に固定されたナット１５に螺合して締め付けることによって、第２固定板部１３ｂ，１３ｂが支持部材１０に固定されている。これによって、取付金具１３が支持部材１０に固定されている。
また、第２固定板部１３ｂの第１固定板部１３ａからの突出長さは、支持部材１０の左右（図４および図６における左右）の長さの約半分に設定されている。したがって、支持部材１０の一方の開口から挿入された一方の取付金具１３の第２固定板部１３ｂ，１３ｂと、他方の開口から挿入された他方の取付金具１３の第２固定板部１３ｂ，１３ｂとは支持部材１０内において互いに突き合わされている。また、この状態において梁構成部材６，６の取付金具１３，１３が取り付けられた側面は、支持部材１０の左右の端面に当接している。
以上のように、梁構成部材６，６に予め取り付けられている取付金具１３，１３の第２固定板部１３ｂ，１３ｂ，１３ｂ，１３ｂを、柱１に取り付けられている支持部材１０に左右の開口から挿入したうえで、該支持部材１０に固定することによって、梁構成部材６，６の端部と柱１とが接合されている。
【００２５】
前記一対の梁構成部材６，６間には、梁２の長手方向に長尺な取付プレート（取付部材）１７が水平に設けられている。この取付プレート１７は、隣り合う柱１，１間の距離とほぼ等しい長さを有しており、梁２の長手方向に長尺な水平板部１７ａと、この水平板部１７ａの両縁部にそれぞれ垂下するようにして形成された側板部１７ｂ，１７ｂとを備え、水平板部１７ａは、側板部１７ｂより水平板部１７ａの長手方向外側に延出する延出板部１７ｃ，１７ｃを有している。
前記取付プレート１７は、梁２の上方から梁構成部材６，６間に挿入されたうえで、側板部１７ｂ，１７ｂが梁構成部材６，６の側面に当接され、延出板部１７ｃ，１７ｃが支持部材１０の上面部に設置固定されている。この固定は、延出板部１７ｃの上面からビス１８を、支持部材１０の上面部および第２固定板部１３ｂにねじ込むことによって行われている。
【００２６】
このようにして、取付プレート１７は梁構成部材６の上下方向中部より上面側に配置され、対向する支持部材１０，１０によって下方から支持されている。
そして、取付プレート１７の水平板部１７ａには、物品を取り付けるための取付部２０が複数形成されている。取付部２０は本実施の形態では、水平板部１７ａの幅方向中央部に上下に貫通して形成された取付用穴２０であり、この取付用穴２０は水平板部１７ａの長手方向に沿って所定間隔で複数形成されている。
なお、取付プレート１７は、梁構成部材６の上下方向中部より下面側に配置してもよい。この場合、取付プレート１７を、梁２の下方から梁構成部材６，６間に挿入したうえで、側板部１７ｂ，１７ｂを梁構成部材６，６の側面に当接し、延出板部１７ｃ，１７ｃを支持部材１０の下面部に設置固定すればよい。なお、梁構成部材６の上下方向中部より下面側に取付プレート１７を配置する場合、上面側に配置する場合と取付プレート１７の上下の向きを逆にして配置する。
【００２７】
上記のような構成の格子状壁体の格子空間Ｓには以下のようにして各種物品が配置されている。
まず、図１に示すような、細かい格子状のパネル(物品)２１は、目隠し用として利用されるものであり、以下のようにして取付プレート１７に取り付けられている。
すなわちまず、図７および図８に示すように、格子状パネル２１は矩形の金属板に多数の矩形穴を縦横に一定間隔で形成することによって構成されたものであり、格子空間Ｓに配置されている。この格子空間Ｓの上方に位置する梁２の梁構成部材６，６間には、取付プレート１７が梁構成部材６の上下方向中部より下面側に配置されている。また、同格子空間Ｓの下方に位置する梁２の梁構成部材６，６間には、取付プレート１７が梁構成部材６の上下方向中部より上面側に配置されている。
【００２８】
梁構成部材６の上下方向中部より下面側に配置されている取付プレート１７には、取付金具２２，２２が左右に離間して取り付けられている。
取付金具２２は、図９に示すように、Ｌ型に形成されたものであり、その上端部の固定板部２２ａがボルト２３ａとナット２３ｂとによって取付プレート１７に取り付けられている。ボルト２３ａは固定板部２２ａに形成された長穴２２ｂに挿通されたうえで取付プレート１７に形成された取付用穴２０に挿通され、このボルト２３ａの先端部にナット２３ｂが螺合して締め付けられている。
一方、取付金具２２の下端部には、ボルト挿通用の穴２２ｃが形成されており、この穴にボルト２４ａが挿通されたうえでボード２１の所定の格子空間に挿通され、さらにこのボルト２４ａの先端部がプレート２５に挿通されたうえで、該ボルト２４ａの先端部にナット２４ｂが螺合して締め付けられている。これによって、ボード２１は取付金具２２とプレート２５とで挟持されている。このようにして、ボード２１は取付プレート１７から取付金具２２によって吊り下げられている。
【００２９】
また、梁構成部材６の上下方向中部より上面側に配置されている取付プレート１７には、上記取付金具２２，２２と同様の構成の取付金具２２，２２が上下の向きを逆にして、左右に離間して取り付けられている。取付金具２２の下端部の固定板部２２ａがボルト２３ａとナット２３ｂとによって取付プレート１７に取り付けられている。ボルト２３ａは固定板部２２ａに形成された長穴２２ｂに挿通されたうえで取付プレート１７に形成された取付用穴２０に挿通され、このボルト２３ａの先端部にナット２３ｂが螺合して締め付けられている。
一方、取付金具２２の上端部には、ボルト挿通用の２２ｃ穴が形成されており、この穴２２ｃにボルト２４ａが挿通されたうえでボード２１の所定の格子空間に挿通され、さらにこのボルト２４ａの先端部がプレート２５に挿通されたうえで、該ボルト２４ａの先端部にナット２４ｂが螺合して締め付けられている。これによって、ボード２１は取付金具２２とプレート２５とで挟持されている。このようにして、ボード２１の下端部は取付プレート１７から取付金具２２によって下方から支持されている。
【００３０】
このように、格子状壁体の格子空間Ｓに配置されたボード２１は、取付プレート１７と取付金具２２によって格子空間Ｓに吊り下げられるとともに下方からも支持された状態で固定されている。
【００３１】
次に、図１に示すような、金属の細い棒を立体トラス状に組み立ててなるパネル(物品)２６は、以下のようにして取付プレート１７に取り付けられている。なお、このパネル２６は植物の枝や蔓などを這わせることによって緑化される緑化パネル２６である。
すなわちまず、図１０および図１１に示すように、パネル２６は格子空間Ｓに配置されている。この格子空間Ｓの上方に位置する梁２の梁構成部材６，６間には、取付プレート１７が梁構成部材６の上下方向中部より下面側に配置されている。また、同格子空間Ｓの下方に位置する梁２の梁構成部材６，６間には、取付プレート１７が梁構成部材６の上下方向中部より上面側に配置されている。
【００３２】
梁構成部材６の上下方向中部より下面側に配置されている取付プレート１７には、取付金具２７，２７が左右に離間して取り付けられている。取付金具２７は、図１２に示すように、固定板部２７ａとこの固定板部２７ａに直角に形成された取付板部２７ｂとによって構成されている。
そして、固定板部２７ａがボルト２３ａとナット２３ｂとによって取付プレート１７に取り付けられている。ボルト２３ａは固定板部２７ａに形成された穴２７ｃ，２７ｃに挿通されたうえで取付プレート１７に形成された取付用穴２０に挿通され、このボルト２３ａの先端部にナット２３ｂが螺合して締め付けられている。
一方、取付金具２７の取付板部２７ｂには、ボルト挿通用の長穴２７ｄ，２７ｄが形成されており、この長穴にボルト２４ａが挿通されたうえでフック金具２８に挿通され、さらにこのボルト２４ａの先端部にナット２４ｂが螺合して締め付けられている。これによって、取付金具２７にはフック金具２８が取り付けられている。そして、このフック金具２８のフック部が緑化パネル２６の上縁部に設けられている横棒に引っ掛けられている。このようにして、パネル２６は取付プレート１７から取付金具２７、フック金具２８によって吊り下げられている。
【００３３】
また、梁構成部材６の上下方向中部より上面側に配置されている取付プレート１７には、上記取付金具２７，２７と同様の構成の取付金具２７，２７が上下の向きを逆にして、左右に離間して取り付けられている。取付金具２７の固定板部２７ａがボルト２３ａとナット２３ｂとによって取付プレート１７に取り付けられている。ボルト２３ａは固定板部２７ａに形成された穴２７ｃ，２７ｃに挿通されたうえで取付プレート１７に形成された取付用穴２０に挿通され、このボルト２３ａの先端部にナット２３ｂが螺合して締め付けられている。
一方、取付金具２７の取付板部２７ｂには、ボルト挿通用の長穴２７ｄ，２７ｄが形成されており、この長穴にボルト２４ａが挿通されたうえでフック金具２８に挿通され、さらにこのボルト２４ａの先端部にナット２４ｂが螺合して締め付けられている。これによって、取付金具２７にはフック金具２８が取り付けられている。そして、このフック金具２８のフック部が緑化パネル２６の下縁部に設けられている横棒に引っ掛けられている。このようにして、緑化パネル２６は取付プレート１７から取付金具２７、フック金具２８によって引っ張られた状態となっている。
【００３４】
このように、格子状壁体の格子空間Ｓに配置された緑化パネル２６は、取付プレート１７と取付金具２７によって格子空間Ｓに吊り下げられるとともに、取付プレート１７と取付金具２７、フック金具２８によって引っ張られた状態となって固定されている。
【００３５】
次に、図１に示すような、鉢植えの植物３０は以下のようにして取付プレート１７に取り付けられている。
すなわちまず、図１３に示すように、鉢植えの植物３０は格子空間Ｓに配置されている。この格子空間Ｓの上方に位置する梁２の梁構成部材６，６間には、取付プレート１７が梁構成部材６の上下方向中部より上面側に配置されている。
前記取付プレート１７には、取付金具３１の上端部の固定板部３１ａがボルト２３ａとナット２３ｂとによって取付プレート１７に取り付けられている。ボルト２３ａは固定板部３１ａに形成された穴に挿通されたうえで取付プレート１７に形成された取付用穴２０に挿通され、このボルト２３ａの先端部にナット２３ｂが螺合して締め付けられている。
前記取付金具３１は梁構成部材６より下方に延出しており、その下端部のフック部３１ｂに、鉢植えの植物３０の鉢に取り付けられた吊下部材３０ａのフックが引っ掛けられている。これによって、鉢植えの植物３０は格子空間Ｓにおいて上方から吊り下げられている。
【００３６】
なお、格子状壁体には、前記ボード２１、パネル２６、鉢植えの植物３０に代えて、または加えて、以下のような物品を取り付けてもよい。
すなわちまず、図１４に示すように、梁２の梁構成部材６，６間に配置された取付プレート１７に、梁構成部材６の外側に延出する取付金具３２を取り付け、この取付金具３２の先端部に、鉢植えの植物３０を吊り下げてもよい。
また、図１５に示すように、梁２の梁構成部材６，６間に配置された取付プレート１７に、梁構成部材６の外側に延出する取付金具３３を取り付け、この取付金具３３によってプランタ３４を支持してもよい。この場合、取付金具３３を、梁２の長手方向に所定間隔で複数配置し、これら複数の取付金具３３で比較的長い（梁２の長手方向に長い）プランタ３４を支持することができる。
【００３７】
また、図１６に示すように、梁２の梁構成部材６，６の上面に、板状の花台３６を設置するともに、この花台３６の下面に固定された取付ブラケット３６ａを梁構成部材６，６間に挿入したうえで取付プレート１７に載置し、さらに、取付ブラケット３６ａを取付プレート１７にビス３７によって固定してもよい。
また、図１７〜図１９に示すように、梁２の梁構成部材６，６の上面に、金属板で形成され、かつ多数の穴が形成された矩形板状の花台３８を設置し、この花台３８をボルト３９ａとナット３９ｂによって取付プレート１７に固定してもよい。この場合、ボルト３９ａを花台３７を貫通させるとともに取付プレート１７の取付用穴２０に挿通したうえで、ボルト３９ａの先端部にナット３９ｂを螺合して締め付ければよい。
さらに、図２０に示すように、梁２，２が直交する部位において、棚板４０を梁２，１と斜めに交差させて水平に配置し、各梁２の梁構成部材６，６間に配置された取付プレート１７に梁構成部材６の外側に、棚板４０の下面まで延出する取付金具４１を取り付け、この取付金具４１の先端部下面に棚板４０を設置したうえで、ビス等によって固定してもよい。この棚板４０は鉢植えの植物等を載置できる他、腰掛けとしても使用できる。
【００３８】
以上のように、本実施の形態によれば、一対の梁構成部材６，６間に、梁２の長手方向に長尺な取付プレート１７が水平に設けられており、この取付プレート１７に、物品を取り付けるための取付部２０が形成されているので、この取付部２０に直接物品を取り付けたり、また、金具（取付金具１３，２２，２７）等を介して物品（ボード２１、パネル２６、鉢植えの植物３０）を取り付けることによって、柱１や梁２自体に加工を施したり金具を取り付けたりすることなく、格子空間Ｓに物品を容易に配置できる。
また、格子空間Ｓに上方から物品（ボード２１、パネル２６、鉢植えの植物３０）を吊り下げて配置する場合、梁構成部材６，６の上下方向中部より下面側に配置されている取付プレート１７から金具（取付金具１３，２２，２７）等を介して容易に吊り下げることができる。
また、梁２上に物品（花台３６，３８）を取り付けて格子空間Ｓに配置する場合、梁構成部材６，の上下方向中部より上面側の取付プレート１７に物品（花台３６，３８）を容易に取り付けることができる。
また、格子空間Ｓに上方から物品（格子状パネル２１、緑化パネル２６）を吊り下げて配置する場合に、その物品（格子状パネル２１、緑化パネル２６）の下端部を梁構成部材６の上下方向中部より上面側の取付プレート１７に固定することによって、物品を安定的に格子空間Ｓに配置できる。
【００３９】
また、柱１に取り付けられた支持部材１０によって、２本の梁構成部材６，６の端部と取付プレート１７の端部との双方を支持できるので、梁構成部材６，６および取付プレート１７のそれぞれを別々に支持する必要がない。
さらに、取付プレート１７の側板部１７ｂ，１７ｂを梁構成部材６，６に当接することによって、取付プレート１７の梁２の厚さ方向の位置決め固定を確実に行え、取付プレート１７の延出板部１７ａを支持部材１０の上面または下面に固定することによって、取付プレート１７の上下方向の位置決め固定を確実に行える。
また、７本の柱１・・・のうち、５本の柱１・・・は平面視において一直線上に配置されており、残り２本の柱１，１は、一直線上に配置された柱１のうちの両端に位置する柱１，１から前記一直線に対して直交する方向に離間して配置されているので、格子状壁体を容易に自立させることができるとともに、格子状壁体の設置安定性が高まる。
【００４０】
なお、本実施の形態では、物品を一つの格子空間Ｓに配置する場合を例とって説明したが、物品を上下に隣り合う格子空間Ｓ，Ｓに跨るようにして配置してもよい。
例えば、図２１（ａ）に示すように、上下に長い格子状パネル４３を中段の梁２を構成する一対の梁構成部材６，６間を挿通するようにして、上下の格子空間Ｓ，Ｓに配置し、上段の梁２を構成する梁構成部材６，６間に設けた前記取付プレート１７に取付金具２２，２２を介して格子状パネル４３の上端部を取り付け、下段の梁２を構成する梁構成部材６，６間に設けた前記取付プレート１７に取付金具２２，２２を介して格子状パネル４３の下端部を取り付けてもよい。
また、図２１（ｂ）に示すように、上下に長い格子状の緑化パネル４４を中段の梁２を構成する一対の梁構成部材６，６間を挿通するようにして、上下の格子空間Ｓ，Ｓに配置し、上段の梁２を構成する梁構成部材６，６間に設けた前記取付プレート１７に取付金具２７，２７を介して緑化パネル４４の上端部を取り付け、下段の梁２を構成する梁構成部材６，６間に設けた前記取付プレート１７に取付金具２７，２７やフック金具を介して緑化パネル４４の下端部を取り付けてもよい。
【００４１】
さらに、図２１（ｃ）に示すように、上下に長いブラインドパネル４５を中段の梁２を構成する一対の梁構成部材６，６間を挿通するようにして、上下の格子空間Ｓ，Ｓに配置し、上段の梁２を構成する梁構成部材６，６間に設けた前記取付プレート１７に取付金具２２，２２を介してブラインド格子パネル４５の上端部を取り付け、下段の梁２を構成する梁構成部材６，６間に設けた前記取付プレート１７に取付金具２２，２２を介してブラインドパネル４５の下端部を取り付けてもよい。なお、ブラインドパネル４５は、複数の可動型もしくは固定型のルーバを枠体に取り付けたパネルである。
また、図２１（ｄ）に示すように、上下に長い薄板状のボード４６または布状のシート４７を中段の梁２を構成する一対の梁構成部材６，６間を挿通するようにして、上下の格子空間Ｓ，Ｓに配置し、上段の梁２を構成する梁構成部材６，６間に設けた前記取付プレート１７に取付金具２２，２２を介してボード４６またはシート４７の上端部を取り付け、下段の梁２を構成する梁構成部材６，６間に設けた前記取付プレート１７に取付金具２２，２２を介してボード４６またはシート４７の下端部を取り付けてもよい。
【００４２】
なお、梁２が上下に４本以上配置されている場合、前記格子状パネル４３等をさらに上下に長く形成し、３つ以上の格子空間Ｓに跨るようにして配置してもよい。
【００４３】
また、本実施の形態では、一対の梁構成部材６，６間に設ける取付部材として、水平板状の取付プレート１７を例にとって説明したが、取付部材としては、例えば図２２（ａ）に示すように、一対の梁構成部材６，６間に設けられたワイヤー５０でもよい。このワイヤー５０は梁構成部材６の長手方向に平行に配置され、その両端部は柱１，１に固定された支持部材１０に取り付けられている。
また、取付部材としては、図２２（ｂ）に示すように、一対の梁構成部材６，６間に架設された棒状部材５１でもよい。この棒状部材５１は梁構成部材６の長手方向に所定間隔で複数設けられ、各棒状部材５１の端部は梁構成部材６に固定されている。
【図面の簡単な説明】
【００４４】
【図１】本発明に係る格子状壁体の一例を示すもので、（ａ）は正面図、（ｂ）は平面図、（ｃ）は側面図である。
【図２】同、柱と梁の接合部を示す平面図である。
【図３】同、柱と梁の接合部を示す側断面図である。
【図４】同、図３におけるＡ−Ａ線断面図である。
【図５】同、図３におけるＢ−Ｂ線断面図である。
【図６】同、柱と梁の接合方法を説明するための図である。
【図７】同、格子状壁体の格子空間に格子状のボードを配置した状態を示す正面図である。
【図８】同、格子状壁体の格子空間に格子状のボードを配置した状態を示す側断面図である。
【図９】図８に示す取付金具の斜視図である。
【図１０】本発明に係る格子状壁体の一例を示すもので、格子状壁体の格子空間に立体トラス状のパネルを配置した状態を示す正面図である。
【図１１】同、格子状壁体の格子空間に立体トラス状のパネルを配置した状態を示す側断面図である。
【図１２】図１１に示す取付金具の斜視図である。
【図１３】本発明に係る格子状壁体の一例を示すもので、格子状壁体の格子空間に鉢植えの植物を配置した状態を示す要部の側断面図である。
【図１４】本発明に係る格子状壁体に、物品として鉢植えの植物を取り付けた状態を示す要部の側断面図である。
【図１５】本発明に係る格子状壁体に、物品としてプランタを取り付けた状態を示す要部の側断面図である。
【図１６】本発明に係る格子状壁体に、物品として花台を取り付けた状態を示す要部の側断面図である。
【図１７】本発明に係る格子状壁体に、物品として他の花台を取り付けた状態を示すもので、要部の斜視図である。
【図１８】同、要部の平面図である。
【図１９】同、要部の側断面図である。
【図２０】本発明に係る格子状壁体に、物品として棚板を取り付けた状態を示す要部の斜視図である。
【図２１】本発明に係る格子状壁体に、物品を上下に隣り合う格子空間に跨って配置した状態を示す要部の正面図である。
【図２２】本発明に係る格子状壁体の一対の梁構成部材間に設ける取付部材の他の例を示す要部の平面図である。
【符号の説明】
【００４５】
Ｓ  格子空間
１  柱
２  梁
６  梁構成部材
１０  支持部材
１７  取付プレート
１７ａ  水平板部
１７ｂ  側板部
１７ｃ  延出板部
２１，４３  格子状パネル（物品）
２６，４４  緑化パネル（物品）
３０  鉢植えの植物（物品）
３４  プランタ（物品）
３６，３８  花台（物品）
４０  棚板（物品）
４５  ブラインドパネル（物品）
４６  ボード（物品）
４７  シート（物品）
５０  ワイヤ（物品）
５１  棒状部材（物品）
【図１】
0005419381.tif 000002
【図２】
0005419381.tif 000003
【図３】
0005419381.tif 000004
【図４】
0005419381.tif 000005
【図５】
0005419381.tif 000006
【図６】
0005419381.tif 000007
【図７】
0005419381.tif 000008
【図８】
0005419381.tif 000009
【図９】
0005419381.tif 000010
【図１０】
0005419381.tif 000011
【図１１】
0005419381.tif 000012
【図１２】
0005419381.tif 000013
【図１３】
0005419381.tif 000014
【図１４】
0005419381.tif 000015
【図１５】
0005419381.tif 000016
【図１６】
0005419381.tif 000017
【図１７】
0005419381.tif 000018
【図１８】
0005419381.tif 000019
【図１９】
0005419381.tif 000020
【図２０】
0005419381.tif 000021
【図２１】
0005419381.tif 000022
【図２２】
0005419381.tif 000023